(57)【特許請求の範囲】
【請求項１】
ケース内に、上面及び下面に圧接端子固定部を有する絶縁板と、この絶縁板の上面側及び下面側に配線された電線と、前記絶縁板の上面の圧接端子固定部で上面側の電線に圧接接続された上面用圧接端子と、前記絶縁板の下面の圧接端子固定部で下面側の電線に圧接接続された下面用圧接端子とを備え、前記絶縁板の圧接端子固定部は、上面用圧接端子と下面用圧接端子のどちらでも固定できるように、絶縁板を貫通して絶縁板の上下両面から突出するように形成され、かつその上端側と下端側の両方に電線受け凹部が形成されており、前記上面用圧接端子は上面側の電線のみを、下面用圧接端子は下面側の電線のみを圧接接続するように形成されていることを特徴とする自動車用電気接続箱。
【発明の詳細な説明】
【０００１】
【発明の属する技術分野】
本発明は、内部回路の少なくとも一部が電線と圧接端子で構成されている自動車用電気接続箱に関するものである。
【０００２】
【従来の技術】
従来のこの種の電気接続箱を図８及び図９に示す。図において、10はケース（アッパーケースのみを示し、ロアーケースは図示を省略）、12はケース10内に設置された絶縁板、14Ａは絶縁板12の上面側に配線された絶縁電線、14Ｂは絶縁板12の下面側に配線された絶縁電線、16Ａは上面側の電線14Ａに圧接接続される上面用圧接端子、16Ｂは下面側の電線14Ｂに圧接接続される下面用圧接端子である。
【０００３】
上面用圧接端子16Ａ及び下面用圧接端子16Ｂはそれぞれ、図９に示すように、一端側に電線圧接部18を、他端側に雄端子部20を有する構造である。絶縁板12には、上面用圧接端子16Ａの電線圧接部18が挿入固定される圧接端子固定部22Ａと、下面用圧接端子16Ｂの電線圧接部18が挿入固定される圧接端子固定部22Ｂが一体に形成されている。圧接端子固定部22Ａ、22Ｂには電線受け凹部24が形成されている。
【０００４】
それぞれの電線受け凹部24に電線14Ａ、14Ｂをセットし、圧接端子固定部22Ａ、22Ｂに圧接端子16Ａ、16Ｂを押し込むと、電線14Ａ、14Ｂと圧接端子16Ａ、16Ｂが電気的に接続され、電気接続箱の内部回路が構成される。また圧接端子16Ａ、16Ｂの雄端子部20は、図８に示すように、ケース10に形成されたコネクタハウジング部26内に突出し、コネクタハウジング部26と共にコネクタを構成するようになっている。
【０００５】
【発明が解決しようとする課題】
従来のこの種の電気接続箱では、上面用圧接端子16Ａの固定部22Ａは絶縁板12の上面に突出するように形成され、下面用圧接端子16Ｂの固定部22Ｂは絶縁板12を貫通して絶縁板12の上下面に突出するように形成されている。しかしこのような構造では、内部回路が変更された場合に、その変更に迅速に低コストで対応することが困難である。例えば図１０の回路を図１１の回路に変更する必要が生じた場合、すなわち上面側の電線14Ａに接続されていた圧接端子16Ａ1 〜16Ａ3 のうちの一つ16Ａ3 を、下面側の電線14Ｂに接続される圧接端子16Ｂ3 に変更する必要が生じた場合には、絶縁板12を作り替えなければならないため、金型の製作に時間と費用がかかるという問題がある。
【０００６】
また電気接続箱の内部回路は同じ車種でもグレードによって配線パターンが異なるため、上面側の回路と下面側の回路が完全に区別されていると、グレード別の多様な回路に対応することが困難である。
【０００７】
本発明の目的は、以上のような問題点に鑑み、回路変更に柔軟に対応でき、グレード別の多様な回路にも容易に対応できる自動車用電気接続箱を提供することにある。
【０００８】
【課題を解決するための手段】
この目的を達成するため本発明の自動車用電気接続箱は、ケース内に、上面及び下面に圧接端子固定部を有する絶縁板と、この絶縁板の上面側及び下面側に配線された電線と、前記絶縁板の上面の圧接端子固定部で上面側の電線に圧接接続された上面用圧接端子と、前記絶縁板の下面の圧接端子固定部で下面側の電線に圧接接続された下面用圧接端子とを備え、前記絶縁板の圧接端子固定部は、上面用圧接端子と下面用圧接端子のどちらでも固定できるように、絶縁板を貫通して絶縁板の上下両面から突出するように形成され、かつその上端側と下端側の両方に電線受け凹部が形成されており、前記上面用圧接端子は上面側の電線のみを、下面用圧接端子は下面側の電線のみを圧接接続するように形成されていることを特徴とするものである。
【０００９】
【発明の実施の形態】
以下、本発明の実施形態を図面を参照して詳細に説明する。
〔実施形態１〕
図１及び図２は本発明の一実施形態を示す。この電気接続箱において、ケース10内の、絶縁板12の上面側及び下面側に電線14Ａ、14Ｂが配線されること、上面側の電線14Ａに上面用圧接端子16Ａが圧接接続され、下面側の電線14Ｂに下面用圧接端子16Ｂが圧接接続されることは、図８及び図９に示した従来の電気接続箱と同様である。
【００１０】
この電気接続箱が従来と異なる点は、絶縁板12に形成された圧接端子固定部22が、上面用圧接端子16Ａと下面用圧接端子16Ｂのどちらでも固定できるように同じ形状に形成されていることである。すなわち、圧接端子固定部22は図２（ａ）に示すように、絶縁板12を貫通して絶縁板12の上下両面から突出するように形成され、かつその上端側と下端側の両方に電線受け凹部24が形成されている構造である。したがって図２（ａ）のように、上面側の電線受け凹部24に上面側の電線14Ａをセットして上面用圧接端子16Ａを押し込めば、同図（ｂ）のように上面側の電線14Ａと上面用圧接端子16Ａを接続することができ、同様に、下面側の電線受け凹部24に下面側の電線14Ｂをセットして下面用圧接端子16Ｂを押し込めば、下面側の電線14Ｂと下面用圧接端子16Ｂを接続することができる。なお、図示のように、上面用圧接端子16Ａは上面側の電線14Ａのみを、下面用圧接端子16Ｂは下面側の電線14Ｂのみを圧接接続するように形成されている。
【００１１】
この電気接続箱は以上のような構成であるから、絶縁板12の上面側と下面側の接続切替を含むような大幅な回路変更にも柔軟に対応できる。例えば、図３（ａ）の回路を図４（ａ）の回路に変更する必要が生じた場合には、図３（ｂ）の上面側の電線14Ａに接続されていた上面用圧接端子16Ａ1 〜16Ａ3 のうちの一つ16Ａ3 を、下面用圧接端子16Ｂ3 に変更して下面側の電線14Ｂと接続するだけで、つまり絶縁板12を作り替えることなく、回路変更に対応することができる。また圧接端子の変更だけで上面側の電線14Ａにも下面側の電線14Ｂにも接続できることから、同じ絶縁板でグレードに異なる多様な回路にも容易に対応することが可能となる。
【００１２】
図５は上記のような配線構造を含む電気接続箱の具体例を示す。10Ａはアッパーケース、10Ｂはロアーケース、12は絶縁板（センタープレート）、14Ａ、14Ｂは絶縁板12の上面側と下面側に配線された電線、16Ａは上面用圧接端子、16Ｂは下面用圧接端子、26はコネクタハウジング、28はヒューズ、30はバスバー、32はリセプタクル、34はロアーケース10Ｂの一部に組み込まれる電子回路用のケース、36はケース34のカバーである。
【００１３】
〔実施形態２〕
図６は本発明の他の実施形態を示す。この実施形態は、上面用圧接端子16Ａを絶縁板12の上面側から、下面用圧接端子16Ｂを絶縁板12の下面側から圧接端子固定部22に押し込む構造にする場合である。この場合は、各圧接端子固定部22の絶縁板12の上面側に突出する部分と、下面側に突出する部分を同じ形に形成しておけばよい。またこの場合は、上面用圧接端子16Ａと下面用圧接端子16Ｂの同じサイズの圧接端子を使用することができる。上記以外の構成は図１及び図２に示した実施形態１と同じであるので、同一部分には同一符号を付して説明を省略する。
【００１４】
〔実施形態３〕
図７は本発明のさらに他の実施形態を示す。この実施形態は、圧接端子16Ａ、16Ｂの中間部に、圧接端子固定部22の縁（上面）に当たるように折り曲げ突片38を形成したものである。このような突片38を設けておくと、端子固定部22に押し込んだ圧接端子16Ａ、16Ｂが正規の位置でストップし、それ以上落ち込まないようにすることができる。上記以外の構成は図１及び図２に示した実施形態１と同じであるので、同一部分には同一符号を付して説明を省略する。
【００１５】
【発明の効果】
以上説明したように本発明によれば、絶縁板の圧接端子固定部を、上面用圧接端子と下面用圧接端子のどちらでも固定できるように形成したことにより、絶縁板の上面側と下面側の接続切替を含む回路変更を、絶縁板を作り替えることなく行うことができる。このため電気接続箱の回路変更に迅速に低コストで対応することができる。また同じ絶縁板でグレードの異なる多様な回路にも対応することができ、経済的である。
【図面の簡単な説明】
【図１】  本発明に係る電気接続箱の一実施形態を示す要部の断面図。
【図２】  本発明の一実施形態における、（ａ）は絶縁板の圧接端子固定部に圧接端子を押し込む前の状態を、（ｂ）は押し込んだ後の状態を示す断面図。
【図３】  本発明の電気接続箱の回路変更の例を示す、（ａ）は変更前の回路図、（ｂ）は（ａ）の回路の実際の配線構造の断面図。
【図４】  同じく、（ａ）は変更後の回路図、（ｂ）は（ａ）の回路の実際の配線構造の断面図。
【図５】  本発明に係る電気接続箱の全体構造の一例を示す分解斜視図。
【図６】  本発明の他の実施形態における、（ａ）は絶縁板の圧接端子固定部に圧接端子を押し込む前の状態を、（ｂ）は押し込んだ後の状態を示す断面図。
【図７】  本発明のさらに他の実施形態における、（ａ）は絶縁板の圧接端子固定部に圧接端子を押し込む前の状態を示す斜視図、（ｂ）は押し込んだ後の状態を示す断面図。
【図８】  従来の電気接続箱の一例を示す要部の断面図。
【図９】  従来の電気接続箱における、絶縁板の圧接端子固定部に圧接端子を押し込む前の状態を示す断面図。
【図１０】  従来の電気接続箱の回路変更の例を示す、（ａ）は変更前の回路図、（ｂ）は（ａ）の回路の実際の配線構造の断面図。
【図１１】  同じく、（ａ）は変更後の回路図、（ｂ）は（ａ）の回路の実際の配線構造の断面図。
【符号の説明】
10：ケース
12：絶縁板
14Ａ：上面側の電線
14Ｂ：下面側の電線
16Ａ：上面用圧接端子
16Ｂ：下面用圧接端子
18：電線圧接部
20：雄端子部
22：圧接端子固定部
24：電線受け凹部
【図１】
0004002026.tif 000002
【図２】
0004002026.tif 000003
【図３】
0004002026.tif 000004
【図４】
0004002026.tif 000005
【図５】
0004002026.tif 000006
【図６】
0004002026.tif 000007
【図７】
0004002026.tif 000008
【図８】
0004002026.tif 000009
【図９】
0004002026.tif 000010
【図１０】
0004002026.tif 000011
【図１１】
0004002026.tif 000012